【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
受信デバイスにおいて、送信デバイスからの送信の復号失敗およびハイブリッド自動再送要求（ＨＡＲＱ）処理の状態に少なくとも部分的に基づいて、送信エラーを検出することと、
前記送信エラーの前記検出に少なくとも部分的に基づいて、タイマを開始することと、
前記ＨＡＲＱ処理のための再送信についての再スケジューリングが受信される前に前記タイマが満了したと決定することと、
前記送信デバイスに、前記決定に少なくとも部分的に基づいて、前記送信エラーをレポートすることと
を備える、方法。
【請求項２】
前記送信エラーをレポートすることは、
前記受信デバイスにより、前記送信デバイスの無線リンク制御（ＲＬＣ）エンティティ、パケットデータコンバージェンスプロトコル（ＰＤＣＰ）エンティティ、または媒体アクセス制御（ＭＡＣ）エンティティにエラーインジケーションを送ること
を備える、請求項１に記載の方法。
【請求項３】
前記エラーインジケーションを送ることは、競合ベースのリソースを使用して、前記送信デバイスのエンティティに前記エラーインジケーションを送ることを備える、請求項２に記載の方法。
【請求項４】
終了されていない送信のリストを維持すること、ここにおいて、前記送信エラーをレポートすることは、前記リストに少なくとも部分的に基づく、
をさらに備える、請求項１に記載の方法。
【請求項５】
前記リスト中の各エントリは、時間インデックスにマッピングされる、請求項４に記載の方法。
【請求項６】
前記送信エラーをレポートすることは、
前記送信デバイスに、前記リストに対応するビットマップを送ること
を備える、請求項４に記載の方法。
【請求項７】
前記リストは、高優先度のＨＡＲＱ処理のセットに限定され、前記ＨＡＲＱ処理は、高優先度のＨＡＲＱ処理の前記セットの要素である、請求項４に記載の方法。
【請求項８】
前記タイマの満了より前に前記ＨＡＲＱ処理についての新しいデータインジケータ（ＮＤＩ）を識別すること、ここにおいて、前記送信エラーをレポートすることは、前記ＮＤＩに少なくとも部分的に基づく、
をさらに備える、請求項１に記載の方法。
【請求項９】
高速回復モードを選択すること、ここにおいて、前記タイマを開始することは、前記選択に少なくとも部分的に基づく、
をさらに備える、請求項１に記載の方法。
【請求項１０】
前記選択は、レイテンシ動作モードに少なくとも部分的に基づく、請求項９に記載の方法。
【請求項１１】
前記選択は、少なくとも１つの高優先度のベアラの構成に少なくとも部分的に基づく、請求項９に記載の方法。
【請求項１２】
前記ＨＡＲＱ処理の前記状態に少なくとも部分的に基づいて、否定応答（ＮＡＣＫ）を送信すること
をさらに備える、請求項１に記載の方法。
【請求項１３】
再送信のために、最小時間期間の間、バッファ中のトランスポートブロックのセットを維持すること
をさらに備える、請求項１に記載の方法。
【請求項１４】
ワイヤレス通信のための装置であって、
受信デバイスにおいて、送信デバイスからの送信の復号失敗およびハイブリッド自動再送要求（ＨＡＲＱ）処理の状態に少なくとも部分的に基づいて、送信エラーを検出する手段と、
前記送信エラーの前記検出に少なくとも部分的に基づいて、タイマを開始する手段と、
前記ＨＡＲＱ処理のための再送信についての再スケジューリングが受信される前に前記タイマが満了したと決定する手段と、
前記送信デバイスに、前記決定に少なくとも部分的に基づいて、前記送信エラーをレポートする手段と
を備える、装置。
【請求項１５】
ワイヤレス通信のためのコードを記憶するコンピュータ可読媒体であって、前記コードは、実行されると、請求項１〜請求項１３のうちのいずれか一項に記載の方法をコンピュータに実行させる命令を備える、コンピュータ可読媒体。
【手続補正２】
【補正対象書類名】明細書
【補正対象項目名】０１３３
【補正方法】変更
【補正の内容】
【０１３３】
[0140]ここでの説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用されうる。このことから、本開示は、ここに説明された例および設計に限定されるべきではなく、ここに開示された原理および新規の特徴と一致する最も広い範囲が付与されるべきである。
以下に本願の出願当初の特許請求の範囲に記載された発明を付記する。
[Ｃ１]  ワイヤレス通信の方法であって、
受信デバイスにおいて、ハイブリッド自動再送要求（ＨＡＲＱ）処理の状態に少なくとも部分的に基づいて、送信エラーを検出することと、
前記送信エラーの前記検出に少なくとも部分的に基づいて、タイマを開始することと、
前記ＨＡＲＱ処理のための再送信についての許可が受信される前に前記タイマが満了したと決定することと、
送信デバイスに、前記決定に少なくとも部分的に基づいて、前記送信エラーをレポートすることと
を備える、方法。
[Ｃ２]  前記送信エラーをレポートすることは、
前記受信デバイスにより、前記送信デバイスの無線リンク制御（ＲＬＣ）エンティティ、パケットデータコンバージェンスプロトコル（ＰＤＣＰ）エンティティ、または媒体アクセス制御（ＭＡＣ）エンティティにエラーインジケーションを送ること
を備える、Ｃ１に記載の方法。
[Ｃ３]  前記エラーインジケーションを送ることは、競合ベースのリソースを使用して、前記送信デバイスのエンティティに前記エラーインジケーションを送ることを備える、Ｃ２に記載の方法。
[Ｃ４]  終了されていない送信のリストを維持すること、ここにおいて、前記送信エラーをレポートすることは、前記リストに少なくとも部分的に基づく、
をさらに備える、Ｃ１に記載の方法。
[Ｃ５]  前記リスト中の各エントリは、時間インデックスにマッピングされる、Ｃ４に記載の方法。
[Ｃ６]  前記送信エラーをレポートすることは、
前記送信デバイスに、前記リストに対応するビットマップを送ること
を備える、Ｃ４に記載の方法。
[Ｃ７]  前記リストは、高優先度のＨＡＲＱ処理のセットに限定され、前記ＨＡＲＱ処理は、高優先度のＨＡＲＱ処理の前記セットの要素である、Ｃ４に記載の方法。
[Ｃ８]  高優先度のＨＡＲＱ処理の前記セットは、レイテンシ動作モードに少なくとも部分的に基づいて決定される、Ｃ７に記載の方法。
[Ｃ９]  前記タイマの満了より前に前記ＨＡＲＱ処理についての新しいデータインジケータ（ＮＤＩ）を識別すること、ここにおいて、前記送信エラーをレポートすることは、前記ＮＤＩに少なくとも部分的に基づく、
をさらに備える、Ｃ１に記載の方法。
[Ｃ１０]  高速回復モードを選択すること、ここにおいて、前記タイマを開始することは、前記選択に少なくとも部分的に基づく、
をさらに備える、Ｃ１に記載の方法。
[Ｃ１１]  前記選択は、レイテンシ動作モードに少なくとも部分的に基づく、Ｃ１０に記載の方法。
[Ｃ１２]  前記選択は、少なくとも１つの高優先度のベアラの構成に少なくとも部分的に基づく、Ｃ１０に記載の方法。
[Ｃ１３]  前記ＨＡＲＱ処理の前記状態に少なくとも部分的に基づいて、否定応答（ＮＡＣＫ）を送信すること
をさらに備える、Ｃ１に記載の方法。
[Ｃ１４]  再送信のために、最小時間期間の間、バッファ中のトランスポートブロックのセットを維持すること
をさらに備える、Ｃ１に記載の方法。
[Ｃ１５]  ワイヤレス通信のための装置であって、
受信デバイスにおいて、ハイブリッド自動再送要求（ＨＡＲＱ）処理の状態に少なくとも部分的に基づいて、送信エラーを検出する手段と、
前記送信エラーの前記検出に少なくとも部分的に基づいて、タイマを開始する手段と、
前記ＨＡＲＱ処理のための再送信についての許可が受信される前に前記タイマが満了したと決定する手段と、
送信デバイスに、前記決定に少なくとも部分的に基づいて、前記送信エラーをレポートする手段と
を備える、装置。
[Ｃ１６]  前記送信エラーを前記レポートする手段は、
前記受信デバイスにより、前記送信デバイスの無線リンク制御（ＲＬＣ）エンティティ、パケットデータコンバージェンスプロトコル（ＰＤＣＰ）エンティティ、または媒体アクセス制御（ＭＡＣ）エンティティにエラーインジケーションを送る手段
を備える、Ｃ１５に記載の装置。
[Ｃ１７]  前記エラーインジケーションを前記送る手段は、
競合ベースのリソースを使用して、前記送信デバイスのエンティティに前記エラーインジケーションを送る手段
を備える、Ｃ１６に記載の装置。
[Ｃ１８]  終了されていない送信のリストを維持する手段、ここにおいて、前記送信エラーをレポートすることは、前記リストに少なくとも部分的に基づく、
をさらに備える、Ｃ１５に記載の装置。
[Ｃ１９]  前記リスト中の各エントリは、時間インデックスにマッピングされる、Ｃ１８に記載の装置。
[Ｃ２０]  前記送信エラーを前記レポートする手段は、
前記送信デバイスに、前記リストに対応するビットマップを送る手段
を備える、Ｃ１８に記載の装置。
[Ｃ２１]  前記リストは、高優先度のＨＡＲＱ処理のセットに限定され、前記ＨＡＲＱ処理は、高優先度のＨＡＲＱ処理の前記セットの要素である、Ｃ１８に記載の装置。
[Ｃ２２]  高優先度のＨＡＲＱ処理の前記セットは、レイテンシ動作モードに少なくとも部分的に基づいて決定される、Ｃ２１に記載の装置。
[Ｃ２３]  前記タイマの満了より前に前記ＨＡＲＱ処理についての新しいデータインジケータ（ＮＤＩ）を識別する手段、ここにおいて、前記送信エラーをレポートすることは、前記ＮＤＩに少なくとも部分的に基づく、
をさらに備える、Ｃ１５に記載の装置。
[Ｃ２４]  高速回復モードを選択する手段、ここにおいて、前記タイマを開始することは、前記選択に少なくとも部分的に基づく、
をさらに備える、Ｃ１５に記載の装置。
[Ｃ２５]  前記選択は、レイテンシ動作モードに少なくとも部分的に基づく、Ｃ２４に記載の装置。
[Ｃ２６]  前記選択は、少なくとも１つの高優先度のベアラの構成に少なくとも部分的に基づく、Ｃ２４に記載の装置。
[Ｃ２７]  前記ＨＡＲＱ処理の前記状態に少なくとも部分的に基づいて、否定応答（ＮＡＣＫ）を送信する手段
をさらに備える、Ｃ１５に記載の装置。
[Ｃ２８]  再送信のために、最小時間期間の間、バッファ中のトランスポートブロックのセットを維持する手段
をさらに備える、Ｃ１５に記載の装置。
[Ｃ２９]  ワイヤレス通信のための装置であって、
プロセッサと、
前記プロセッサと電子通信しているメモリと、
前記メモリに記憶された命令であって、前記プロセッサによって実行されたとき、前記装置に、
受信デバイスにおいて、ハイブリッド自動再送要求（ＨＡＲＱ）処理の状態に少なくとも部分的に基づいて、送信エラーを検出することと、
前記送信エラーの前記検出に少なくとも部分的に基づいて、タイマを開始することと、
前記ＨＡＲＱ処理のための再送信についての許可が受信される前に前記タイマが満了したと決定することと、
送信デバイスに、前記決定に少なくとも部分的に基づいて、前記送信エラーをレポートすることと
を行わせるように動作可能な命令と
を備える、装置。
[Ｃ３０]  ワイヤレス通信のためのコードを記憶する非一時的コンピュータ可読媒体であって、前記コードは、
受信デバイスにおいて、ハイブリッド自動再送要求（ＨＡＲＱ）処理の状態に少なくとも部分的に基づいて、送信エラーを検出することと、
前記送信エラーの前記検出に少なくとも部分的に基づいて、タイマを開始することと、
前記ＨＡＲＱ処理のための再送信についての許可が受信される前に前記タイマが満了したと決定することと、
送信デバイスに、前記決定に少なくとも部分的に基づいて、前記送信エラーをレポートすることと
を行うように実行可能な命令を備える、非一時的コンピュータ可読媒体。